(57)【要約】【課題】  エアフィルターに付着した塵埃を除去すると共に、一旦除去した塵埃が回転ブラシに再付着することを防ぐことができるエアフィルター清掃装置を提供する。【解決手段】  エアフィルター清掃装置は、エアフィルターと、回転軸１１ａとブラシ体１１ｂとを備えた回転清掃体１１と、ダストボックス１２とを有しており、ダストボックス１２は、回転清掃体１１のブラシ体１１ｂから吐き出された塵埃を受けるように形成されており、内壁１２ａには複数の仕切り板１６ａ、１６ａが、塵埃を回転清掃体１１から遠ざける為に、回転清掃体１１から離れるに従い下方に傾斜するように設置されている。【選択図】図３
2019136670.tif 000002
【特許請求の範囲】
【請求項１】
エアフィルターと、
回転軸とブラシ体とを備えた回転清掃体と、
ダストボックスと、を有するエアフィルター清掃装置において、
前記エアフィルターは、前記回転清掃体と当接する位置に設置され、
前記回転清掃体は、その長手方向が略鉛直方向に一致するように設置され、
前記ダストボックスは、前記回転清掃体の前記ブラシ体から吐き出された塵埃を受けるように形成され、
前記ダストボックスは、内壁に複数の仕切り板が設置されており、
前記仕切り板は、塵埃を前記回転清掃体から遠ざける為に、前記回転清掃体から離れるに従い下方に傾斜するように設置されていることを特徴とするエアフィルター清掃装置。
【請求項２】
エアフィルターはフィルター体と、該フィルター体を複数個に区画する格子枠とを備えており、
仕切り板の回転清掃体側の端部は、前記エアフィルターの前記格子枠の延長線上に形成されていることを特徴とする請求項１に記載のエアフィルター清掃装置。
【請求項３】
仕切り板は、回転清掃体のブラシ体に当接していることを特徴とする請求項１又は２に記載のエアフィルター清掃装置。
【請求項４】
仕切り板は、回転清掃体側の端部の厚み方向の断面が、鋭角となるように形成されていることを特徴とする請求項１〜３のいずれか１項に記載のエアフィルター清掃装置。
【請求項５】
架台内に設けられた凝縮器と、該凝縮器に空気を送る送風ファンと、
前記凝縮器の前面に配置し請求項１〜４のいずれか１項に記載のエアフィルター清掃装置と、を備えたことを特徴とするショーケース。
【請求項６】
空気吸入口から吸入した空気を空気吹出口に導く風路を有する本体と、該本体内に、送風ファンと、請求項１〜４のいずれか１項に記載のエアフィルター清掃装置と、を備えたことを特徴とする空気調和機。
【発明の詳細な説明】
【技術分野】
【０００１】
本発明は、エアフィルターを清掃する回転清掃体を備えたエアフィルター清掃装置と、このエアフィルター清掃装置を備えたショーケース及び空気調和機に関するものである。
【背景技術】
【０００２】
従来から、ショーケース等の内部に設置され、エアフィルターに付着している塵埃等を除去するエアフィルター清掃装置が知られている（特許文献１）。
【０００３】
特許文献１のエアフィルター清掃装置は、凝縮器の前面に配置され左右方向に移動が可能なエアフィルターが通過する位置に設置され、回転ブラシがエアフィルターに当接してエアフィルターに付着している塵埃を除去すると共に、回転ブラシに付着した塵埃は、凹凸形状を有する除塵部により剥離する構成としている。
【先行技術文献】
【特許文献】
【０００４】
【特許文献１】特開２０１４−２０７７２号公報
【発明の概要】
【発明が解決しようとする課題】
【０００５】
しかしながら、上記特許文献１に記載のエアフィルター清掃装置は、除塵部により剥離された塵埃が回転ブラシ近傍で局所的に堆積することにより、回転ブラシに再付着するという課題を有していた。
【０００６】
本発明は、前記従来の課題を解決するものであり、エアフィルターに付着した塵埃を除去すると共に、一旦除去した塵埃が回転ブラシに再付着することを防ぐことができるエアフィルター清掃装置と、このエアフィルター清掃装置を備えたショーケース及び空気調和機を提供することを目的とする。
【課題を解決するための手段】
【０００７】
前記従来の課題を解決するために、請求項１のエアフィルター清掃装置の発明は、エアフィルターと、回転軸とブラシ体とを備えた回転清掃体と、ダストボックスと、を有するエアフィルター清掃装置において、前記エアフィルターは、前記回転清掃体と当接する位置に設置され、前記回転清掃体は、その長手方向が略鉛直方向に一致するように設置され、前記ダストボックスは、前記回転清掃体の前記ブラシ体から吐き出された塵埃を受けるように形成され、前記ダストボックスは、内壁に複数の仕切り板が設置されており、前記仕切り板は、塵埃を前記回転清掃体から遠ざける為に、前記回転清掃体から離れるに従い下方に傾斜するように設置されていることを特徴としている。
【０００８】
請求項１の発明では、回転清掃体を、その長手方向が略鉛直方向に一致するように設置していることから、ブラシ体から吐き出された塵埃は、重力により下方に落ちてダストボックスに収容される。そして、ダストボックスに設置された仕切り板は、回転清掃体から離れるに従い下方に傾斜するように設置されていることから、塵埃が回転清掃体に再付着することを防ぐことができる。また、ダストボックスの内壁に仕切り板を複数設置することにより、塵埃がダストボックス内で局所的に溜まるのを防ぐことができる。
【０００９】
請求項２の発明は、請求項１のエアフィルター清掃装置の発明において、エアフィルターはフィルター体と、該フィルター体を複数個に区画する格子枠とを備えており、仕切り板の回転清掃体側の端部は、前記エアフィルターの前記格子枠の延長線上に形成されていることを特徴としている。したがって、塵埃の切れ目に仕切り板を配置することで、綿状又は絨毯状の塵埃を分断し易くなり、回転清掃体の近傍に塵埃が溜まることを防ぐことができ、回転清掃体に塵埃が再付着することを防ぐことができる。また、塵埃収容時の抵抗を軽減することができる。
【００１０】
請求項３の発明は、請求項１又は２のエアフィルター清掃装置の発明において、仕切り板は、回転清掃体のブラシ体に当接していることを特徴としている。したがって、塵埃が回転清掃体から分離されるのと同時に仕切り板で誘導することができる為、回転清掃体への塵埃の再付着をより防止することができる。また、仕切り板によって、綿状又は絨毯状の塵埃を回転清掃体から剥離すること及び分断することができる。
【００１１】
請求項４の発明は、請求項１〜３のいずれかのエアフィルター清掃装置の発明において、仕切り板は、回転清掃体側の端部の厚み方向の断面が、鋭角となるように形成されていることを特徴としている。したがって、綿状又は絨毯状に堆積した塵埃を切断することができる為、回転清掃体の近傍に塵埃が溜まること及び回転清掃体への塵埃の再付着を防ぐことができる。
【００１２】
請求項５のショーケースの発明は、架台内に設けられた凝縮器と、該凝縮器に空気を送る送風ファンと、前記凝縮器の前面に配置し請求項１〜４のいずれかのエアフィルター清掃装置と、を備えたことを特徴としている。したがって、ショーケースに設置されたエアフィルター清掃装置において塵埃の収容効率を高めることができ、ダストボックスに溜まった塵埃の取り出し回数を減らすことができる。
【００１３】
請求項６の空気調和機の発明は、空気吸入口から吸入した空気を空気吹出口に導く風路を有する本体と、該本体内に、送風ファンと、請求項１〜４のいずれかのエアフィルター清掃装置と、を備えたことを特徴としている。したがって、空気調和機に設置されたエアフィルター清掃装置において塵埃の収容効率を高めることができ、ダストボックスに溜まった塵埃の取り出し回数を減らすことができる。
【発明の効果】
【００１４】
請求項１のエアフィルター清掃装置の発明は、塵埃が回転清掃体に再付着することを防ぐことができ、塵埃がダストボックス内で局所的に溜まるのを防ぐことができ、塵埃の収容効率を高めることができる。また、請求項２のエアフィルター清掃装置の発明は、回転清掃体の近傍に塵埃が溜まることを防ぐことができると共に、塵埃を分断し易くすることができる。また、請求項３のエアフィルター清掃装置の発明は、回転清掃体への塵埃の再付着をより防止することができると共に、綿状又は絨毯状の塵埃を回転清掃体から剥離すること及び分断することができる。また、請求項４のエアフィルター清掃装置の発明は、綿状又は絨毯状に堆積した塵埃を切断することができる為、回転清掃体の近傍に塵埃が溜まること及び回転清掃体への塵埃の再付着を防ぐことができる。
【００１５】
請求項５のショーケースの発明は、ショーケースに設置されたエアフィルター清掃装置において塵埃の収容効率を高めることができ、ダストボックスに溜まった塵埃の取り出し回数を減らすことができる。また、請求項６の空気調和機の発明は、空気調和機に設置されたエアフィルター清掃装置において塵埃の収容効率を高めることができ、ダストボックスに溜まった塵埃の取り出し回数を減らすことができる。
【図面の簡単な説明】
【００１６】
【図１】（ａ）本発明に係るショーケースの斜視図（ｂ）本発明に係るエアフィルター清掃装置の斜視図
【図２】本発明に係るショーケースの一部断面図
【図３】清掃装置本体の斜視図
【図４（ａ）】エアフィルター清掃装置の清掃時の状態を示す正面図（初期位置）
【図４（ｂ）】エアフィルター清掃装置の清掃時の状態を示す正面図（中間位置）
【図４（ｃ）】エアフィルター清掃装置の清掃時の状態を示す正面図（終端位置）
【図５】図４（ｂ）の一部拡大図
【図６】（ａ）〜（ｃ）仕切り板の実施例を示す斜視図
【図７】（ａ）エアフィルター清掃装置の清掃時の状態を示す断面図（初期位置）（ｂ）エアフィルター清掃装置の清掃時の状態を示す断面図（中間位置）（ｃ）エアフィルター清掃装置の清掃時の状態を示す断面図（終端位置）
【図８】（ａ）本発明に係る空気調和機を正面方向から視た斜視図（ｂ）本発明に係る空気調和機を背面方向から視た斜視図
【発明を実施するための形態】
【００１７】
以下、本発明の実施形態について、図面を参照しながら説明する。なお、この実施の形態によって本発明が限定されるものではない。
【００１８】
図１（ａ）は、本発明に係るショーケースを示す斜視図であり、図１（ｂ）は、本発明に係るエアフィルター清掃装置の斜視図である。また、図２は、本発明に係るショーケースの一部断面図である。これらの図を用いて本発明に係るショーケース及びエアフィルター清掃装置の概要を以下に説明する。
【００１９】
本発明に係るショーケース１は、正面に開閉扉２ａ、２ａ・を備えた箱型形状のケーシング２と、ケーシング２の上部に設けられ、ケーシング２内に供給する冷気を生成する冷媒回路などを収容した架台３とで構成されている。ケーシング２は、食品などを陳列する陳列棚４と、冷媒回路で生成された冷気が吹き出される吹き出し口（図示せず）と、吹き出し口から吹き出された冷気が陳列棚４を通過後に吸い込まれる吸い込み口（図示せず）と、陳列棚４を照らすＬＥＤランプ（図示せず）とを備えている。尚、吸い込み口から吸い込まれた冷気は冷媒回路に戻され、再び吹き出し口から吹き出される。
【００２０】
架台３の前面には着脱可能な前面パネル５が取り付けられており、架台３内には冷媒回路を構成する圧縮機（図示せず）、凝縮器６、蒸発器（図示せず）と、冷媒回路や蛍光灯などの制御を行う基板を収容した電装ボックス（図示せず）とが配置されている。尚、前面パネル５の凝縮器６と対向する箇所には、凝縮器６へ外気を供給するための複数の吸気口７が形成されている。また、凝縮器６の後方には吸気口７を介して外気を凝縮器６に供給する送風ファン８が配置されている。
【００２１】
前面パネル５の吸気口７と凝縮器６との間には、凝縮器６に供給される外気に含まれる塵埃を捕集するエアフィルター９と、エアフィルター９に付着した塵埃を除去する回転清掃体１１と、ダストボックス１２とを有するエアフィルター清掃装置１０が設けられている。
【００２２】
エアフィルター清掃装置１０は、清掃装置本体１０ａに回転清掃体１１とダストボックス１２が設置されており、清掃装置本体１０ａには、エアフィルター９の長手方向に沿って配設されたラック（図示せず）に噛み合いつつ回転するピニオンギア１３ａと、ピニオンギアにより回転させる駆動ギアＡ１３ｂ、駆動ギアＢ１３ｃとが設けられている。よって、図示しないモータによってピニオンギア１３ａを回転させると、駆動ギアＡ１３ｂが回転し一体となって清掃装置本体１０ａがエアフィルター９の長手方向に沿って移動する。そして、駆動ギアＡ１３ｂと噛みあいながら駆動ギアＢ１３ｃも回転し、連結している回転清掃体１１が回転する構成としている。尚、エアフィルター９は、フィルター体９ａと、フィルター体９ａを複数に区画する格子枠９ｂとを備えている。
【００２３】
図３は、清掃装置本体の斜視図であり、図３を使用して清掃装置本体について説明する。清掃装置本体１０ａは、その一部がダストボックス１２を構成していると共に、回転軸１１ａとブラシ体１１ｂとを備えた回転清掃体１１を回転自在に軸支している。また、ダストボックス１２の開口部を塞ぐ開閉可能な蓋体１４を備えており、蓋体１４の長手方向の端部には、櫛歯状の除塵体１５が設けられている。尚、図３は、蓋体１４が開いた状態を示しており、蓋体１４を閉じた状態では、除塵体１５が回転清掃体１１のブラシ体１１ｂにくい込むように当接した状態となる。
【００２４】
ダストボックス１２は、図３に示すように、回転清掃体１１のブラシ体１１ｂから吐き出された塵埃を受けるように形成されており、内壁１２ａには複数の仕切り板１６ａ、１６ａが設置されている。この仕切り板１６ａは、塵埃を回転清掃体１１から遠ざける為に、回転清掃体１１から離れるに従い下方に傾斜するように設置されている。尚、図３においてダストボックス１２の底面１２ｂを傾斜させていないが、底面１２ｂを仕切り板１６ａと同様に、回転清掃体１１から離れるに従い下方に傾斜するように形成してもよく、この構成も本発明に含まれる。また、蓋体１４にも複数の仕切り板１６ｂ，１６ｂが設置されている。この仕切り板１６ｂは、１６ａと同様に塵埃を回転清掃体１１から遠ざける為に、回転清掃体１１から離れるに従い下方に傾斜するように設置されており、蓋体１４を閉じた状態で、仕切り板１６ａの側部と仕切り板１６ｂの側部とが当接して一枚の仕切り板１６となる構成としている。尚、回転清掃体１１は、その長手方向が略鉛直方向に一致するように設置するが、これは塵埃が仕切り板１６ａ上を滑り回転清掃体１１から遠ざかる効果が発揮される状態を示している。また、回転清掃体１１は、回転軸１１ａにブラシ体１１ｂを螺旋状に巻いて形成されており、本実施例のように仕切り板１６をブラシ体１１ｂに当接させた場合は、螺旋の傾斜方向は、仕切り板１６の傾斜方向と一致させることによって、回転清掃体１１の回転時の抵抗を軽減させている。
【００２５】
図４（ａ）は、エアフィルター清掃装置の清掃時の状態を示す正面図（初期位置）であり、図４（ｂ）は、エアフィルター清掃装置の清掃時の状態を示す正面図（中間位置）であり、図４（ｃ）は、エアフィルター清掃装置の清掃時の状態を示す正面図（終端位置）である。また、図５は、図４（ｂ）の一部拡大図である。尚、これらの図はダストボックスの内部構造が見えるように清掃装置本体の一部を透過して図示している。これらの図を用いて本発明に係るエアフィルター清掃装置の動作について説明する。
【００２６】
図４（ａ）は、清掃装置本体１０ａが初期位置であるエアフィルター９の長手方向の一方の端部にある状態を示している。ショーケース１の冷蔵又は冷凍運転時は、前述のとおり送風ファン８により吸気口７から外気を凝縮器６に供給する際に、フィルター体９ａには塵埃Ａが付着して堆積し、綿状又は絨毯状の塊となる。プラスチック等の合成樹脂で形成されている格子枠９ｂには塵埃は付着しないので、塵埃Ａは格子枠９ｂ毎に区画された塊となる。ここで、仕切り板１６の回転清掃体１１側の端部は、エアフィルター９の格子枠９ｂの延長線上に形成されている。また、仕切り板１６は、回転清掃体１１のブラシ体１１ｂに当接させている。尚、フィルター体９ａに付着する塵埃Ａは、エアフィルター清掃装置１０の設置位置によって異なる。エアフィルター清掃装置１０を床面に近い場所に設置した場合には糸くずや砂等も含まれることになる。また、本実施例では塵埃Ａを綿状又は絨毯状の塊として図示しているが、塊となっておらず薄くフィルター体９ａに堆積した塵埃や、部分的に付着した塵埃など、その形状や付着位置は使用環境によって様々な状態が想定される。
【００２７】
図４（ｂ）及び図５は、清掃装置本体１０ａがエアフィルター９の長手方向の中間部の位置にある状態を示している。清掃装置本体１０ａは初期位置（図４（ａ））から、後述する清掃終端位置（図４（ｃ））に向かい移動する。その際、フィルター体９ａに堆積した塵埃Ａは、まず、回転清掃体１１によって剥離される。次に、仕切り板１６によって綿状又は絨毯状の塵埃Ａが分断される。ここで、図示しないが塵埃Ａが薄い綿状又は微細な塵埃の場合であっても、回転清掃体１１に付着した塵埃は除塵体１５の櫛歯先端で掻き取られながら次第に塊状に集積して、その後、仕切り板１６により分断される。そして、仕切り板１６は、回転清掃体１１から離れるに従い下方に傾斜するように設置されているので、分断された塵埃Ａをダストボックス１２の奥へと誘導する。したがって、回転清掃体１１の近傍に塵埃Ａが溜まることを防ぐことができ、回転清掃体１１に塵埃Ａが再付着することを防ぐことができる。また、塵埃Ａの切れ目に仕切り板１６を配置することで、塵埃Ａ収容時の抵抗を軽減させている。さらにまた、仕切り板１６の下面も回転清掃体１１から離れるに従い下方に傾斜しているため、分断された塵埃Ａが下面に当接した後、ダストボックス１２の下奥へ誘導することができる。
【００２８】
図４（ｃ）は、清掃装置本体１０ａが複数回の清掃動作を終了した後の清掃終端位置である、エアフィルター９の長手方向の他方の端部にある状態を示している。この状態では、塵埃Ａは自重により仕切り板１６によって区画された各ダストボックス１２の図面上、左下に堆積することとなり、図面上、右上に隙間ができることから、回転清掃体１１への塵埃Ａの再付着を防止することができる。尚、本実施形態において仕切り板１６は２枚となっているがこれに限定するものではない。仕切り板１６の設置枚数を増やすことによって塵埃Ａをダストボックス１２内へ効率よく収容することができる。また、仕切り板１６の鉛直方向からの傾斜角度は、図示したよりも大きく傾けることで塵埃Ａをダストボックス１２の奥へ誘導することができる。但し、仕切り板１６の傾斜角度を大きくした場合、塵埃Ａが仕切り板１６の下面に当接する際の抵抗が大となるため、好適な仕切り板１６の水平方向からの傾斜角度は０度より大きく４５度以下である。また、仕切り板１６は、回転清掃体１１から離れるに従い下方に傾斜するように設置されていればよく、曲面状の仕切り板や、段差を備えた仕切り板も本発明に含まれる。
【００２９】
図６（ａ）〜（ｃ）は、仕切り板の実施例を示す斜視図である。図６（ａ）〜（ｃ）に示す仕切り板１６ｃ、１６ｄ、１６ｅは、塵埃排出作業時の怪我の防止の為に先端に丸みを持たせていると共に、仕切り板１６ｃ、１６ｅは塵埃を切断し易くなるよう鋭角に形成されている。図６（ａ）に示す仕切り板１６ｃは、下面に傾斜面が形成されている。したがって、仕切り板１６ｃの上面の塵埃を誘導するだけでなく、下面に当接する塵埃も下方へ誘導することができる。また、図６（ｂ）に示す仕切り板１６ｄは、先端部の板厚を薄くしている。これにより、仕切り板１６ｄの根元部の強度を確保している。この場合、先端部（回転清掃体側端部）の板厚は、エアフィルターの格子枠の幅より小となるよう設計することで、塵埃の切れ目に当接させることができ塵埃を切断し易くすることができる。尚、仕切り板の板厚が均一に薄い場合も本発明に含まれる。また、図６（ｃ）に示す仕切り板１６ｅは、先端部の上面に傾斜面が形成されている。これにより、回転清掃体に対向する位置に先端部を配置することでより塵埃をより切断し易くすることができる。
【００３０】
図７（ａ）は、エアフィルター清掃装置の清掃時の状態を示す断面図（初期位置）であり、図７（ｂ）は、エアフィルター清掃装置の清掃時の状態を示す断面図（中間位置）であり、図７（ｃ）エアフィルター清掃装置の清掃時の状態を示す断面図（終端位置）である。図７（ａ）は、清掃装置本体１０ａが初期位置であるエアフィルター９の長手方向の一方の端部にある状態を示している。この状態では、仕切り板１６は、回転清掃体１１に当接している。また、図７（ｂ）は、清掃装置本体１０ａがエアフィルター９の長手方向の中間部の位置にある状態を示している。また、黒矢印は回転清掃体１１の回転方向を示している。この状態では、回転清掃体１１から送り出された塵埃Ａがダストボックス１２の曲面で形成されている内壁を伝い、弧を描きながらダストボックス１２の奥へと移送される。内壁が曲面となっているため、送り込まれた塵埃Ａはダストボックス１２の奥まで到達した後も内壁によって過度な抵抗を受けることなく、スムーズに移送することができる。また、図７（ｃ）は、清掃装置本体１０ａが複数回の清掃動作を終了した後の清掃終端位置である、エアフィルター９の長手方向の他方の端部にある状態を示している。この状態では、複数回の清掃動作により堆積した塵埃Ａが圧縮され分断された塊となって蜷局を巻くようにダストボックス１２内に収容されている。内壁が曲面となっているため、塊となった多数の塵埃Ａをダストボックス１２内部に順番に弧を描きながら誘導することができるため、内部空間を有効活用できると共に、収容効率を上げることができる。
【００３１】
図８（ａ）は、本発明に係る空気調和機を正面方向から視た斜視図であり、図８（ｂ）は、本発明に係る空気調和機を背面方向から視た斜視図である。本発明に係る空気調和機２０は、吸込み口２１と排気口２２ａ、２２ｂを有する本体２３と、本体２３に形成され、吸込み口２１と排気口２２ａ、２２ｂとを連通する通過風路（図示せず）と、室内の浮遊塵埃を含む外気を吸込み口２１から吸引して排気口２２ａ、２２ｂから排出する送風機（図示せず）と、本発明に係るエアフィルター清掃装置（図示せず）とを備えている。また、本体２３の両側面近傍には、通過風路を構成する通気口（図示せず）が形成されている。
【００３２】
本体２３は、本体カバーＡ２３ａと、この本体カバーＡ２３ａに対して着脱自在な本体カバーＢ２３ｂとを備えており、本体カバーＡ２３ａの正面側には、排気口２２ａ、２２ｂが形成されている。また、本体カバーＡ２３ａの背面側の中央には、本体カバーＢ２３ｂが着脱自在に取り付けられており、本体カバーＢ２３ｂには、取っ手２５と、吸込み口２１とが形成されている。そして、本体カバーＢ２３ｂを取り外すことによって、エアフィルター（図示せず）を掃除機等によって清掃することを可能としている。
【００３３】
本発明に係る空気調和機２０は、前述のように構成されており、吸込み口２１から吸引された室内の浮遊塵埃を含む外気は、エアフィルター清掃装置によって塵埃が取り除かれた後、両側の通気口を経て、排気口２２ａ、２２ｂより排出される。
【産業上の利用可能性】
【００３４】
本発明に係るエアフィルター清掃装置は、エアフィルターに付着している塵埃等を除去するために、ショーケースや空気調和機に設置されて利用される。
【符号の説明】
【００３５】
１  ショーケース
２  ケーシング
２ａ  開閉扉
３  架台
４  陳列棚
５  前面パネル
６  凝縮器
７  吸気口
８  送風ファン
９  エアフィルター
９ａ  フィルター体
９ｂ  格子枠
１０  エアフィルター清掃装置
１０ａ  清掃装置本体
１１  回転清掃体
１１ａ  回転軸
１１ｂ  ブラシ体
１２  ダストボックス
１２ａ  内壁
１２ｂ  底面
１３ａ  ピニオンギア
１３ｂ  駆動ギアＡ
１３ｃ  駆動ギアＢ
１４  蓋体
１５  除塵体
１６、１６ａ、１６ｂ、１６ｃ、１６ｄ、１６ｅ  仕切り板
【図１】
2019136670.tif 000003
【図２】
2019136670.tif 000004
【図３】
2019136670.tif 000005
【図４（ａ）】
2019136670.tif 000006
【図４（ｂ）】
2019136670.tif 000007
【図４（ｃ）】
2019136670.tif 000008
【図５】
2019136670.tif 000009
【図６】
2019136670.tif 000010
【図７】
2019136670.tif 000011
【図８】
2019136670.tif 000012